(57)【要約】      （修正有）【課題】外装部品の構成要素の間の完全な角度的インデクシングが行われるシールされセキュアなアセンブリーを提供する。【解決手段】第１の部品１と第２の部品１０を有する計時器、腕時計又は装飾品用の外装部品のサブアセンブリーである。第１の部品１と第２の部品１０の裾部が有する２つの縁部と２つのウィング部１２の間でバヨネット取り付けされ、第１の部品１と第２の部品１０は、組み立てられインデクシングされた位置を占めることができ、この目的のために、部分的に第１の裾部又は第２の裾部の厚みにおいて、他方の部品１、１０のインデクシングの制限用止め６３と連係する第１の部品１と第２の部品１０の間の角度的インデクシングのための出っ張りを有する弾性変形可能な領域５０を有する。【選択図】図４
2018017727.tif 000002
【特許請求の範囲】
【請求項１】
第１の部品（１）と第２の部品（１０）を有する腕時計又は装飾品用の外装部品のサブアセンブリー（１００）であって、
前記第１の部品（１）は、第１の裾部（６）から突き出ており第１のアンダーカット（３）と交互構成になっている縁部（２）を有し、
前記第２の部品（１０）は、第２の裾部（１１）から突き出ており第２のアンダーカット（１３）と交互構成になっているウィング部（１２）を有し、
前記第１の部品（１）と前記第２の部品（１０）は、前記第１の部品（１）と前記第２の部品（１０）が互いに対して第１の角度的向きを有するような挿入前の分解された第１の位置と、及び前記第１の部品（１）と第２の部品（１０）が互いに対して前記第１の角度的向きと異なる第２の角度的向きを向いており前記少なくとも２つの縁部（２）及び少なくとも２つの前記ウィング部（１２）の間のバヨネット取り付けによって軸方向に保持されるような組み立てられロックされた第２の位置とを占めるように構成しており、
前記第１の部品（１）と前記第２の部品（１０）の少なくとも一方は、少なくとも部分的に前記第１の裾部（６）又は第２の裾部（１１）の厚みにおいて、出っ張り（１９）を有する少なくとも１つの弾性変形可能な領域（５０）を有し、
この出っ張り（１９）は、前記第１の部品（１）と前記第２の部品（１０）の間の相対的位置におけるインデクシングによって、前記第１の部品（１）と前記第２の部品（１０）の他方が有する角度的インデクシング及びロックのための制限用止め（６３、１６３）と連係するように設けられ、
前記挿入前の分解された第１の位置において、前記第１の部品（１）と前記第２の部品（１０）は、互いに対して第１の角度的向きを向いており、反発手段によって互いから離れるように維持され、
前記反発手段は、磁気的反発手段及び／又は少なくとも１つの弾性要素及び／又は少なくとも１つのシーリング接合を有し、
前記組み立てられロックされた第２の位置において、前記第１の部品（１）と前記第２の部品（１０）は、前記反発手段によって与えられる抗力に対抗して軸方向に保持される
ことを特徴とする外装部品のサブアセンブリー（１００）。
【請求項２】
前記反発手段は、少なくとも１つのシーリング接合を有する
ことを特徴とする請求項１に記載の外装部品のサブアセンブリー（１００）。
【請求項３】
前記反発手段は、少なくとも１つのシーリング接合を有し、
前記縁部（２）は、前記第１の裾部（６）の内側の方に半径方向に突き出ており、
前記ウィング部（１２）は、前記第２の裾部（１１）の外側の方に半径方向に突き出ており、
前記弾性変形可能な領域（５０）は、半径方向にて弾性変形可能である
ことを特徴とする請求項２に記載の外装部品のサブアセンブリー（１００）。
【請求項４】
前記少なくとも１つのシーリング接合は、連続的であり、実質的に環状の自由な形を有し、そして、実質的に前記第１の部品（１）と前記第２の部品（１０）の周部にマウントされる
ことを特徴とする請求項２に記載の外装部品のサブアセンブリー（１００）。
【請求項５】
前記第１の部品（１）は、実質的に第１の軸方向（Ｄ１）に対する回転体状である、前記第１の裾部（６）の内側の方に半径方向に突き出ており前記第１のアンダーカット（３）と交互構成になっている前記縁部（２）を有し、
前記第２の部品（１０）は、実質的に第２の軸方向（Ｄ２）に対する回転体形状である、前記第２の裾部（１１）に対して外側の方に半径方向に突き出ている前記ウィング部（１２）を有し、
前記ウィング部（１２）は、前記第１のアンダーカット（３）の角度振幅よりも小さい角度振幅を有し、
前記ウィング部（１２）は、前記第１の部品（１）と前記第２の部品（１０）との軸方向の組み立て時に、前記第１の軸方向（Ｄ１）と前記第２の軸方向（Ｄ２）が軸一致する共通の軸方向（Ｄ）に、前記第１のアンダーカット（３）を通るように挿入されることができ、
前記第１の部品（１）と前記第２の部品（１０）の少なくとも一方は、少なくとも部分的に前記第１の裾部（６）又は前記第２の裾部（１１）の厚みにおいて、半径方向に弾性変形可能な前記領域（５０）を有する
ことを特徴とする請求項１に記載の外装部品のサブアセンブリー（１００）。
【請求項６】
前記少なくとも１つの弾性変形可能な領域（５０）は、前記縁部（２）又は前記ウィング部（１２）の少なくとも１つの弾性溝（１１４、１４）の近くに設けられる
ことを特徴とする請求項１に記載の外装部品のサブアセンブリー（１００）。
【請求項７】
前記弾性変形可能な領域（５０）は、前記縁部（２）又は前記ウィング部（１２）の突き出ている部分における少なくとも１つの弾性溝（１１４、１４）の近くに設けられる
ことを特徴とする請求項６に記載の外装部品のサブアセンブリー（１００）。
【請求項８】
前記第１の部品（１）は、中間部であり、前記第２の部品（１０）は、裏蓋である
ことを特徴とする請求項１に記載の外装部品のサブアセンブリー（１００）。
【請求項９】
前記第１の部品（１）は、中間部であり、前記第２の部品（１０）は、フランジ又はベゼルである
ことを特徴とする請求項１に記載の外装部品のサブアセンブリー（１００）。
【請求項１０】
前記第１の部品（１）は、中間部、又は中間部に接続されたチューブであり、前記第２の部品（１０）は、竜頭である
ことを特徴とする請求項１に記載の外装部品のサブアセンブリー（１００）。
【請求項１１】
請求項１に記載の外装部品のサブアセンブリー（１００）を有する
ことを特徴とする腕時計（１０００）。
【請求項１２】
請求項１に記載の外装部品のサブアセンブリー（１００）を有する
ことを特徴とする装飾品。
【発明の詳細な説明】
【技術分野】
【０００１】
本発明は、第１の部品と第２の部品を有する計時器、腕時計又は装飾品用の外装部品のサブアセンブリーに関し、前記第１の部品は、第１の裾部から突き出ており第１のアンダーカットと交互構成になっている縁部を有し、前記第２の部品は、第２の裾部から突き出ており第２のアンダーカットと交互構成になっているウィング部を有し、前記第１の部品と前記第２の部品は、前記第１の部品と前記第２の部品が互いに対して第１の角度的向きを有するような挿入前の分解された第１の位置と、及び前記第１の部品と第２の部品が互いに対して前記第１の角度的向きと異なる第２の角度的向きを向いており前記少なくとも２つの縁部及び少なくとも２つの前記ウィング部の間のバヨネット取り付けによって軸方向に保持されるような組み立てられロックされた第２の位置とを占めるように構成している。
【０００２】
本発明は、さらに、前記のような外側部品のサブアセンブリーを有する計時器、特に、腕時計に関する。
【０００３】
本発明は、さらに、前記のような外側部品のサブアセンブリーを有する装飾品に関する。
【０００４】
本発明は、腕時計の外側部品の分野及び宝石と装飾品の分野に関する。
【背景技術】
【０００５】
腕時計や同様な装置の外装部品には、不浸透性、堅牢性、外観などの多くの制約があり、あらゆる不本意の分解をも防ぐように作らなければならない。これには、シールの交換、クリーニング、潤滑又は修理などのために販売後に介在することが必要となる。
【０００６】
いくつかの外装部品や制御用部品は、互いに対して再び角度的インデクシングされなければならない。これによって、元の基準位置に再配置したり、記号や目盛の読み取りを容易にしたり、本来の面からの逸脱及び／又は装飾面の連続性を確実にしたりする。これには、非アクティブである場合もアクティブである場合もある。部品の良好なロック及び接合の完全なシーリングを達成しつつ、前記角度的インデクシングを良好に達成することは難しいことが多い。
【０００７】
De Retzによる欧州特許文献ＥＰ２４７６３３５Ａ１は、２つの側方の環状体を備えた装飾品について記載しており、その環状体の直径は、中央の環状体の直径よりも大きい。中央の環状体が取り外し可能な形態であるように側方の環状体の１つを組み立てる。これによって、環状の装飾要素を配置したり取り除いたりする。磁気ロックユニット、すなわち、歯は、側方の環状体と中央の環状体の間の別のロックユニットによって定められた組み立てられた位置に、側方の環状体を１つの自由度に沿って運動するように保持する。この後者のロックユニットは、開いた部分及び閉じた部分を有する突き出ている部分及び溝によって、突き出ているユニット、すなわち、フィレット、によって形成される。
【０００８】
Aravelo Martinによる欧州特許文献ＥＰ２５３７４３１Ａ１は、指に着用される略環状体と、及び上側領域においてこの略環状体に接続された宝石支持体とを有する指輪に貴重な要素を接続するためのデバイスについて記載している。この略環状体は、その１点において、頭部があり、この頭部は、略環状体と一体化されており、バヨネット連結によって宝石支持体の下側部分に挿入され連結される。
【発明の概要】
【発明が解決しようとする課題】
【０００９】
本発明は、外装部品の構成要素どうしのシールされセキュアなアセンブリーであって、これらの構成要素の間の完全な角度的インデクシングが行われるものを作ることを目的とする。
【課題を解決するための手段】
【００１０】
このために、本発明は、第１の部品と第２の部品を有する計時器又は装飾品用の外装部品のサブアセンブリーであって、前記第１の部品は、第１の裾部から突き出ており第１のアンダーカットと交互構成になっている縁部を有し、前記第２の部品は、第２の裾部から突き出ており第２のアンダーカットと交互構成になっているウィング部を有し、前記第１の部品と前記第２の部品は、前記第１の部品と前記第２の部品が互いに対して第１の角度的向きを有するような挿入前の分解された第１の位置と、及び前記第１の部品と第２の部品が互いに対して前記第１の角度的向きと異なる第２の角度的向きを向いており前記少なくとも２つの縁部及び少なくとも２つの前記ウィング部の間のバヨネット取り付けによって軸方向に保持されるような組み立てられロックされた第２の位置とを占めるように構成しており、前記第１の部品と前記第２の部品の少なくとも一方は、少なくとも部分的に前記第１の裾部又は第２の裾部の厚みにおいて、出っ張りを有する少なくとも１つの弾性変形可能な領域を有し、この出っ張りは、前記第１の部品と前記第２の部品の間の相対的位置におけるインデクシングによって、前記第１の部品と前記第２の部品の他方が有する角度的インデクシング及びロックのための制限用止めと連係するように設けられ、前記挿入前の分解された第１の位置において、前記第１の部品と前記第２の部品は、互いに対して第１の角度的向きを向いており、反発手段によって互いから離れるように維持され、前記反発手段は、磁気的反発手段及び／又は少なくとも１つの弾性要素及び／又は少なくとも１つのシーリング接合を有し、前記組み立てられロックされた第２の位置において、前記第１の部品と前記第２の部品は、前記反発手段によって与えられる抗力に対抗して軸方向に保持される。
【００１１】
本発明は、さらに、前記のような外装部品のサブアセンブリーを有する計時器に関する。
【００１２】
本発明は、さらに、前記のようなサブアセンブリーを有する装飾品に関する。
【００１３】
添付図面を参照しながら下記の詳細な説明を読むことで、本発明の他の特徴及び利点が明らかになるであろう。
【図面の簡単な説明】
【００１４】
【図１】本発明に係る外装部品のサブアセンブリーの特定の変種についての概略分解斜視図である。これは、中間部である第１の部品を有しており、その第１の部品の下に、裏蓋である第２の部品を有している。第２の部品には、第２の部品を第１の部品にバヨネット形態で固定するために角度的インデクシング方向を示す矢がある。
【図２】図１と同様な形態で、挿入後の同じサブアセンブリーを示しており、バヨネット機構の自由な通過状態に対応する第１の角度的な向きにて第２の部品によって第１の部品が支持されている。
【図３】第２のインデクシング位置にある第１の部品に対する第２の部品の完全な相対的な角度的インデクシングによって回転させてバヨネット機構を完全に閉じた後の閉位置の同じサブアセンブリーを図２と同様な形態で示している。
【図４】この外装部品のサブアセンブリーの部分的な斜視図であり、第１の部品と第２の部品が、他方の部品が有するここでは中間部である制限止めと連係する溝の近くの弾性変形可能な領域に位置しているここでは裏蓋である一方の部品の出っ張りのおかげで、安定したインデクシングされた位置にある。
【図５】中間部が出っ張りを有する弾性変形可能な領域を有するような本発明に係るサブアセンブリーの別の変種を図４と同様な形態で示している。
【図６】前記のようなサブアセンブリーを有する腕時計を下から見た概略図である。このサブアセンブリーの中間部が第１の部品を形成しており、裏蓋が第２の部品を形成している。
【図７】前記のようなサブアセンブリーを有する腕時計を上から見た概略図である。このサブアセンブリーの中間部が第１の部品を形成しており、ベゼルが第２の部品を形成している。
【図８】前記のようなサブアセンブリーを有する腕時計を上から見た概略図である。中間部に固定されたこのサブアセンブリーのチューブが第１の部品を形成しており、竜頭が第２の部品を形成している。
【発明を実施するための形態】
【００１５】
本発明は、調整することが容易な角度的インデクシングを備えた外装部品の構成要素のシールされセキュアなアセンブリー、及び部品の数が最小である外装部品を作ることを提案するものである。
【００１６】
図１〜５は、腕時計の中間部に対する裏蓋の角度的インデクシングの例を示している。なお、これに制限されない。
【００１７】
本発明は、計時器、特に、腕時計、又は装飾品用の外装部品のサブアセンブリー１００に関し、これは、第１の裾部６から突き出ており第１のアンダーカットと交互構成になっている縁部２を有する第１の部品１と、及び第２の裾部１１から突き出ており第２のアンダーカット１３と交互構成になっているウィング１２を有する第２の部品１０とを有する。
【００１８】
ここで、一般用語「外装部品のサブアセンブリー」は、現在時計製造においてのみ用いられているとしても、計時器と装飾品の両方に対して用いる。装飾品の場合には、このサブアセンブリーは、裏蓋構造に接続された装飾品又は要素の構造、複数の基礎的な又はあらかじめ組み立てられた部品の任意のアセンブリー、又は装飾品全体に関することができる。
【００１９】
この外装部品のサブアセンブリー１００は、挿入前の分解された第１の位置から組み立てられロックされた第２の位置へと動くようにされる。
【００２０】
第１の部品１と第２の部品１０の間の界面のレベルにおいて設けられた反発手段を有する特定の変種（これに制限されない）では、これらの第１の部品１と第２の部品１０は、反発手段によって互いに離れるように維持される傾向があり、反発手段は、磁気的反発手段及び／又は少なくとも１つの弾性要素及び／又は少なくとも１つのシーリング接合を有する。挿入前の分解された第１の位置から組み立てられロックされた第２の位置への移行は、以下のようなオペレーターが与える力の作用によって達成される。すなわち、反発手段の抗力を克服し第１の部品１と第２の部品１０を接触させる軸方向の力、及び第１の部品１と第２の部品１０を、支持された角度的なインデクシング位置にするためのトルクである。
【００２１】
挿入前の分解された第１の位置において、第１の部品１と第２の部品１０は、互いに対して第１の角度的向きを有する。
【００２２】
第１の部品１と第２の部品１０の間の界面のレベルにおいて設けられた反発手段を有する特定の変種（これに制限されない）においては、第１の部品１と第２の部品１０は、反発手段によって互いに対して離れるように維持される傾向がある。この反発手段は、磁気的反発手段及び／又は少なくとも１つの弾性要素及び／又は少なくとも１つのシーリング接合、出っ張り又は突起を有する。挿入前の分解された第１の位置から組み立てられロックされた第２の位置への移行は、以下のようなオペレーターが与える力の作用によって達成される。すなわち、反発手段の抗力を克服し第１の部品１と第２の部品１０を接触させる軸方向の力、及び第１の部品１と第２の部品１０を、支持された角度的インデクシング位置にするためのトルクである。
【００２３】
組み立てられロックされた第２の位置において、第１の部品１と第２の部品１０は、互いに対して第１の角度的向きとは異なる第２の角度的向きを有する。反発手段を有する特定の変種において、第１の部品１と第２の部品１０は、これらの反発手段によって与えられる抗力に対抗するように、作業者によって軸方向の力とトルク力を与えることによって少なくとも２つの縁部２と少なくとも２つのウィング１２の間にて発生するバヨネット取り付けの効果によって、軸方向に保持される。
【００２４】
バヨネット取り付け、特に、軸方向Ｄのまわりのバヨネット取り付けによるこのような第１の部品１と第２の部品１０の一体化は、可逆的であり、第１の部品１と第２の部品１０を分解することを可能にするものである。従来技術から逸脱した本発明に係る方法の１つにおいては、この分解には、作業者の側にて、アセンブリー時に与えられる力と同様な力を必要とする。この分解には、好ましくは、穴、周部ノッチなどと連係する特殊工具の使用を必要とし、不器用さや特定の外部の物理的原因に起因して分解されないようにする。
【００２５】
本発明によると、少なくとも第１の部品１又は第２の部品１０は、前記のような縁部２又はウィング１２に、図面の場合には半径方向に延びている少なくとも１つの弾性変形可能な領域５０を有する。また、外装部品のサブアセンブリー１００は、出っ張り１９を有する少なくとも１つの弾性変形可能な領域５０を有する。これは、図の場合には半径方向に延びており、出っ張り１９は、第１の部品１と第２の部品１０の間の相対的位置におけるインデクシングによって、第１の部品１と第２の部品１０の他方が有する角度的インデクシング及びロックのための制限用止め６３、１６３と連係するようにされている。
【００２６】
具体的には、反発手段を有する変種（これに制限されない）に関する限り、本発明は、第１の部品１と第２の部品１０の間に少なくとも１つのシーリング接合を有する計時器又は腕時計用の外装部品のサブアセンブリー１００に関する。
【００２７】
特に、具体的には、図示した変種において、第１の部品１の縁部１２は、実質的に第１の軸方向Ｄ１に対する回転体形状であり、第２の部品１０のウィング１２は、実質的に第２の軸方向Ｄ２に対する回転体形状である。これらのウィング部１２は、第２の裾部１１に対して外側の方に半径方向に突き出ており、その角度振幅は、第１のアンダーカット３の角度振幅以下であり、ウィング部１２は、前記第１のアンダーカット３を通るように、共通の軸方向Ｄに沿った第１の部品１と第２の部品１０との軸方向の組み立て時に挿入されることができる。これによって、第１の軸方向Ｄ１と第２の軸方向Ｄ２が軸一致される。第１の部品１又は第２の部品１０は、第１の裾部６又は第２の裾部１１の厚みにおいて少なくとも部分的に、前記のような半径方向に弾性変形可能な領域５０を有する。
【００２８】
具体的には、前記縁部２又は１つの前記ウィング部１２が備える前記少なくとも１つの弾性溝１１４、１４の近くに、少なくとも１つの弾性変形可能な領域５０が設けられる。
【００２９】
再び、特に、縁部２又はウィング部１２の突出部分における少なくとも１つの弾性溝１１４、１４の近くに、弾性変形可能な領域５０が設けられる。図４又は５に示している特定の実施形態において、この領域５０の境界は、２つの前記平行な溝１４又は１１４（場合に応じて決まる）によって定められる。
【００３０】
具体的には、縁部２又はウィング部１２から出っ張り１９が突き出ている。図５の変種において、縁部２は、実質的に第１の軸方向Ｄ１に対する回転体形状である外側裾部２０を担持している。この外側裾部２０は、出っ張り１９を支えている。
【００３１】
図１〜５の特定の実施形態（これに限定されない）において、制限用止め６３、１６３の境界は、空欠部６１及び６２、１６１及び１６２によって定められ、これは、特に、ミル処理、射出などによって形成され、空欠部の輪郭は、任意の手段によって作ることができるように十分に単純である（ここでは単純な円筒形の部分区画の空欠部）。好ましいことに、このような制限用止め６３、１６３は、第１の側の出っ張り１９と、縁部分２又はウィング部１２又は縁部２（場合に応じて決まる）が備える第２の側の端１８、１１８の間に、クランプされる。これは、弾性変形可能な領域５０よりも堅固である。
【００３２】
図１〜６に示す有利なアプリケーション（これに限定されない）において、第１の部品１は、中間部であり、第２の部品１０は、裏蓋である。全体的には、図１〜４に示す変種において、裏蓋１０は、一又は複数の出っ張り１９を支える少なくとも１つの分離した裾部１１を有する。これによって、中間部１に対するインデクシング及びロックが可能になる。この中間部１は、好ましいことに、ミル処理によって得られる幾何学的構成を有し、これは、裏蓋１０の一又は複数の出っ張り１９に配置されており、インデクシングされた位置にてシステムをロックする。この半径方向のクリッピングの信頼性は高く経済的である。偶発的に再び開いてしまうことはない。なぜなら、好ましいことに、空欠部６１の輪郭に、急な傾斜の部分があり、このために、裏蓋を再び開くことを可能にするために、工具の助けを借りてリリース用の大きなトルクを与えることが必要となる。したがって、このことをユーザーが行うことはできず、メンテナンス及びアフターセールス人員が行う必要がある。この図示された場合の特定の変種において、少なくとも１つのシーリング接合の存在が必要である。図示していない変種において、第１の部品１は、裏蓋であり、第２の部品１０は、この裏蓋に接続されたメダル状などの形の可視部分であり、この場合に、第１の部品１と第２の部品１０の間の接合は必要ではなく、反発手段を有する変種においては、ばねの存在は、まったく適切である。
【００３３】
この点に関して、本発明を、特に、ケースアプリケーションなどのための、前記のような反発手段なしで実装することができる。
【００３４】
もちろん、第１の部品と第２の部品がそれぞれ弾性変形可能な領域を有するようにすることもできるが、単一の１つの部品が弾性変形可能な領域を有する図示した実施形態が、生産コストが最も低い。
【００３５】
シーリング接合の軸方向の圧縮が最も標準的なものである場合、本発明によって、このような接合において半径方向に圧縮する組み立てを難なく行うことが可能になる。
【００３６】
なお、ここで縁部及び半径方向に突き出ているウィング部を備える特定の変種に基づいて本発明を説明しているが、軸方向の構成及び半径方向の構成が逆であるような他の変種にも本発明を適用可能である。
【００３７】
別のアプリケーションにおいて、図７に示すように、第１の部品１は、中間部であり、第２の部品１０は、フランジ又はベゼルである。
【００３８】
この場合は、第１の部品と第２の部品が、磁気反発によって又は必ずしも閉じていない弾性要素によって、互いから離れる傾向がある変種に良好に適合する。この弾性要素は、例えば、ワッシャーであり、すなわち、薄いリングであり、又はラチェットと類似した区画を有するワッシャーである。これによって、一方向のベゼルに対して本発明を用いる特定の場合におけるように、一方向の運動を容易に可能にする。このようなワッシャーは、ワイヤー状であることができ、これは、実質的に円形の断面、長方形の断面などであることができる。
【００３９】
特定の実施形態において、これらの反発手段が機械式であり、少なくとも１つの弾性要素及び／又は少なくとも１つのシーリング接合を有する場合、この弾性要素及び／又はシーリング接合は、連続的であり、実質的に環状の自由な形状を有し、実質的に第１の部品１と第２の部品１０の周部にマウントされる。再び、特に、この弾性要素及び／又はシーリング接合は、第１の部品１及び／又は第２の部品１０にある連続的な溝に部分的に収容される。
【００４０】
さらなる別のアプリケーションにおいて、図８に示すように、第１の部品１は、中間部、又は中間部に接続されるチューブであり、第２の部品１０は、竜頭である。１つの変種において、第２の部品１０は、竜頭ロッド又は押しボタンである。これらの場合にも、少なくとも１つのシーリング接合の存在は必須である。
【００４１】
本発明は、時計製造における多数のアプリケーションに適している。例えば、ダイビング用腕時計におけるヘリウム弁、ストラップ、バックル、クロージャーのような外装部品の構成要素に適している。同じことがスリーブボタンやイアリングを閉じたり、取り外し可能であるように設計された石や装飾要素を固定したりする装飾品についてもいえる。
【００４２】
本発明は、さらに、前記のような外装部品のサブアセンブリー１００を有する計時器、特に、腕時計１０００に関する。
【００４３】
本発明は、さらに、前記のようなサブアセンブリー１００を有する装飾品に関する。
【００４４】
このように、本発明によって、振動の影響、連続的な膨張サイクル、ユーザーによる不適切な使用などによって発生する、サブアセンブリー１００のあらゆる不注意又は不本意の分解をも防ぐことができる。
【００４５】
本発明によって、部品が完璧な向きを向いており、使用のための姿勢にロックされて保持されていることを確実にすることができる。
【００４６】
また、本発明によって、ねじのような外部の固定要素を必要とせずに、セラミックス、サファイアのような特定の材料を弱めるリスクを発生させるねじ山形成や機械加工を行わずに、膨張、摩擦、弾性などの制約がない様々な性質の材料から作られた対向している部品を可能とする。このような部品は、偶発的なねじの緩み、振動によるゆっくりとした緩み、シャピュイタイプのインパクトに対する非常に良好な耐性を有する。
【００４７】
また、本発明によって、部品の互換性を、そして、結果的に、ユーザーによる腕時計又は装飾品のパーソナライズを向上させることができる。
【００４８】
本発明は、貴重な材料で作られる腕時計又は装飾品にも、単価が低い部品でできたもの、特に、プラスチック材料などでできたもの、の大規模生産にも両方とも適用可能である。
【００４９】
本発明は、サブアセンブリー１００が、異なる材料で作られていたり、異なる膨張係数を有していたり、標準的な固定方法を用いることができない脆弱な材料であったり硬い材料であったりする（セラミックス、サファイア、貴重な石、宝石、カメオ）部品１及び１０を有する場合に良好に適合する。標準的な構成のうち、中間部が金で作られたり、裏蓋がサファイアで作られたり、ケース全体がセラミックス、金属−セラミックスの組み合わせなどで作られたアセンブリーを挙げることができる。または、部品１及び１０を以下のようなあらゆる材料で作ることができる。すなわち、計時器及び装飾品の製造において通常用いられる材料にのみ言及すると、金属合金、特に、貴重又は標準的なステンレス鋼、少なくとも部分的にアモルファスな金属合金、又は「Liquidmetal(c)」など、セラミックス、サファイア、鉱物、ハードストーン、ゴム、プラスチック材料、特に、ＴＰＥと呼ばれる熱可塑性エラストマー、特に、ＴＰＵと呼ばれる熱可塑性ポリウレタン、ＰＣと呼ばれるポリカーボネート、ＰＶＣと呼ばれるポリ塩化ビニル、ポリアセタール又はＰＯＭと呼ばれるポリオキシメチレン、シリコーン、ナイロン（登録商標）が挙げられる。なお、これに限定されない。
【符号の説明】
【００５０】
１  第１の部品
２  縁部
３  第１のアンダーカット
６  第１の裾部
１０  第２の部品
１１  第２の裾部
１２  ウィング部
１３  第２のアンダーカット
１４、１１４  弾性溝
１９  出っ張り
５０  弾性変形可能な領域
６３、１６３  制限用止め
１００  外装部品のサブアセンブリー
１０００  腕時計
Ｄ１  第１の軸方向
Ｄ２  第２の軸方向
【図１】
2018017727.tif 000003
【図２】
2018017727.tif 000004
【図３】
2018017727.tif 000005
【図４】
2018017727.tif 000006
【図５】
2018017727.tif 000007
【図６】
2018017727.tif 000008
【図７】
2018017727.tif 000009
【図８】
2018017727.tif 000010